(57)【要約】【課題】接続操作を容易にすると共に、被験者の頭部にかかる荷重及び被験者にかかる計測時の負担を軽減して、計測精度を向上させた脳計測装置を提供すること。【解決手段】脳計測装置１は、センサ群を被験者Ｍの頭部Ｍａに接触させて生体情報を計測する計測装置である。脳計測装置１は、被験者Ｍの頭部Ｍａに接触させて頭部Ｍａの生体情報を計測する第１センサ群２と、被験者Ｍの頭部Ｍａに接触させて前記頭部Ｍａの生体情報を計測する第２センサ群３と、第１センサ群２に接続された第１配線４を被験者Ｍの頭部Ｍａに沿って保持する第１保持部材６と、第２センサ群３に接続された第２配線５を被験者Ｍの頭部Ｍａに沿って保持する第２保持部材７と、第１保持部材６と第２保持部材７とを保持する保持部と、を備えている。【選択図】図２
2010233746.tif 000002
【特許請求の範囲】
【請求項１】
センサ群を被験者の頭部に接触させて生体情報を計測する脳計測装置であって、
前記被験者の頭部に接触させて前記頭部の生体情報を計測する第１センサ群と、
前記被験者の頭部に接触させて前記頭部の生体情報を計測する第２センサ群と、
前記第１センサ群に接続された配線を前記被験者の頭部に沿って保持する第１保持部材と、
前記第２センサ群に接続された配線を前記被験者の頭部に沿って保持する第２保持部材と、
前記第１保持部材と前記第２保持部材とを保持する保持部と、
を備えたことを特徴とする脳計測装置。
【請求項２】
前記第１保持部材及び前記第２保持部材は、前記被験者の頭部の表面に沿って長尺形状に形成され、
前記第１保持部材は、長手方向に沿って所定間隔で形成されて前記第１センサ群に接続された複数の配線がそれぞれ引き込まれる複数の第１引込口と、
前記第１引込口に引き込まれた複数の配線が集束されて引き出される第１引出口と、が形成され、
前記第２保持部材は、長手方向に沿って所定間隔で形成されて前記第２センサ群に接続された複数の配線がそれぞれ引き込まれる複数の第２引込口と、
前記第２引込口に引き込まれた複数の配線が集束されて引き出される第２引出口と、が形成されていることを特徴とする請求項１に記載の脳計測装置。
【請求項３】
前記第１保持部材と前記第２保持部材とは、連結部材を介在して着脱可能に連結されて前記保持部に保持されていることを特徴とする請求項１または請求項２に記載の脳計測装置。
【請求項４】
前記第１保持部材は、前記被験者の頭部に当接する第１当接部と、この第１当接部に設けられて弾性を有する第１弾性部材と、を有する第１頭部支持部材を備え、
前記第２保持部材は、前記被験者の頭部に当接する第２当接部と、この第２当接部に設けられて弾性を有する第２弾性部材と、を有する第２頭部支持部材を備えていることを特徴とする請求項１または請求項２に記載の脳計測装置。
【請求項５】
前記第１保持部材または前記第２保持部材には、前記被験者の頭部に接触させた前記第１センサ群及び前記第２センサ群を覆うように配置される頭部カバーが着脱可能に取り付けられる取付部が形成されていることを特徴とする請求項１ないし請求項４のいずれか１項に記載の脳計測装置。
【請求項６】
前記保持部は、前記脳計測装置の計測部の支持部に支持される支持アームを備え、
前記支持アームは、前記第１引出口及び前記第２引出口から引き出された配線が挿通されていることを特徴とする請求項１ないし請求項５のいずれか１項に記載の脳計測装置。
【請求項７】
前記第１保持部材は、前記被験者の頭部の表面に沿って水平方向に円弧状に形成され、
前記第２保持部材は、前記被験者の頭部の表面に沿って前記第１保持部材に直交する方向に円弧状に形成され、前記第２保持部材が前記第１保持部材の中央に配置されていることを特徴とする請求項２ないし請求項６のいずれか１項に記載の脳計測装置。
【請求項８】
前記第１センサ群及び前記第２センサ群にそれぞれ接続された複数の配線は、前記第１保持部材及び前記第２保持部材の長手方向の所定間隔の位置から長手方向に直交する方向に一定間隔ごとに同じ長さになるように相違させて設定したことを特徴とする請求項２ないし請求項７のいずれか１項に記載の脳計測装置。
【請求項９】
第１センサ群が装着される第１プローブ取付穴と、第２センサ群が装着される第２プローブ取付穴とを有するプローブホルダを予め被験者の頭部に被らせて、前記第１プローブ取付穴と前記第２プローブ取付穴に前記第１センサ群と前記第２センサ群を接続して、前記被験者の頭部に前記第１センサ群と前記第２センサ群を接触させて生体情報を計測する脳計測装置において、
前記被験者の一方のこめかみから他方のこめかみにわたって配置され、前記第１センサ群に接続された配線を保持する第１保持部材と、
前記被験者の後頭部から額にわたって配置され、前記第２センサ群に接続された配線を保持する前記第２保持部材と、
前記第２保持部材を覆うように前記第１保持部材に設けられる頭部カバーと、
前記被験者の後頭部の後側で前記第１保持部材と前記第２部材とを連結して保持する保持部と、
前記第１センサ群と前記第２センサ群からの信号により生体情報を計測する計測部を備え、
前記保持部は、前記計測部との間に支持アームを有していることを特徴とする脳計測装置。
【発明の詳細な説明】
【技術分野】
【０００１】
本発明は、被験者の頭部の生体情報を計測する脳計測装置に関する。
【背景技術】
【０００２】
現在、人間の脳と機械を繋ぐインターフェイスとして、ブレイン・マシン・インターフェイス（ＢＭＩ）という技術が注目されている。ＢＭＩは、人間の脳内情報を多角的に計測・分析することによって、手足等による操作なしに脳内の指示で機械を直接操作することや、身体機能の治療、回復、補綴、補完等を可能とする技術である。ＢＭＩで頭部の生体情報を計測する方法としては、被験者の頭部（頭皮）に電極等のセンサを取り付けて近赤外線を照射し、大脳皮質で反射した近赤外線を分析することで脳の血流状態を調べる方法や、センサにより脳波を検出して、被験者の脳内情報を調べる方法がある。
【０００３】
このような脳計測装置は、被験者の頭部に多数のセンサを直接取り付けて使用するものであるため、被験者が計測中に大きく動いたり、席を外したりすると、センサの位置が変わって計測精度が低くなる。そこで、被験者にセンサを安定的に取り付けて計測精度を向上させる手段が従来から求められてきた。例えば、特許文献１では、生体光測定用プローブ先端部や脳波測定用の電極プローブ（センサ）を常に頭皮に安定して密着させることで、計測の精度や計測条件の安定性を向上できる計測器具装着用頭部カバー（ヘルメット）が提案されている。
【先行技術文献】
【特許文献】
【０００４】
【特許文献１】特開２００４−２４８９６１号公報（図１〜図４）
【発明の概要】
【発明が解決しようとする課題】
【０００５】
特許文献１に係る計測器具装着用頭部カバーでは、配線の本数が、多数のセンサの本数に応じて多くなっているので、それらが他の物に引っ掛からないようにするために、頭部カバーに設けたケーブル固定具によって配線及び配管を束ねている。
しかしながら、このような計測器具装着用頭部カバーは、使用されている配線の本数が多く、それらの配線及び配管の全体が剥き出しの状態で配置されている。このため、計測器具装着用頭部カバーは、計測する前のセンサの接続作業をする際に、配線が他の物に引っ掛けたり、絡んだりするという問題点があった。
【０００６】
また、計測器具装着用頭部カバーは、この頭部カバーと、多数のセンサと、この多数のセンサから延びる配線と、配管との荷重が被験者の頭部に集中して直接かかるため、頭痛や肩こり等人体への影響が大きかった。また、被験者の頭部に荷重がかかると、長時間の使用による疲れで被験者が頭部を動かす機会が多くなり、その際にセンサ位置がずれて計測精度が低下するという問題があった。
さらに、計測器具装着用頭部カバーは、その際に、配線が破損したり、センサの位置がずれたりして、センサを用いて頭部の生体情報を計測しているときは、ノイズが発生し、計測精度が低下することがあった。
【０００７】
本発明は、かかる点に鑑みてなされたものであって、接続操作を容易にすると共に、被験者の頭部にかかる荷重及び被験者にかかる計測時の負担を軽減して、計測精度を向上させた脳計測装置を提供することを課題とする。
【課題を解決するための手段】
【０００８】
前記課題を解決するために、請求項１に記載の脳計測装置は、センサ群を被験者の頭部に接触させて生体情報を計測する脳計測装置であって、前記被験者の頭部に接触させて前記頭部の生体情報を計測する第１センサ群と、前記被験者の頭部に接触させて前記頭部の生体情報を計測する第２センサ群と、前記第１センサ群に接続された配線を前記被験者の頭部に沿って保持する第１保持部材と、前記第２センサ群に接続された配線を前記被験者の頭部に沿って保持する第２保持部材と、前記第１保持部材と前記第２保持部材とを保持する保持部と、を備えたことを特徴とする。
ここで、「生体情報」とは、脈拍、心電、筋電、発汗、ＧＳＲ（皮膚電気反応）、血圧、血糖値、血流、血中酸素飽和濃度、皮膚表面温度、脳波（例えばα波、β波、θ波、δ波の情報）、血流変化、体温、頭の動き等のいずれかをいう。
【０００９】
かかる構成によれば、被験者の頭部の生体情報を計測する第１センサ群及び第２センサ群にそれぞれ接続された各配線は、そのセンサの種類毎に分けて第１保持部材及び第２保持部材によって保持されているので、センサを被験者の頭部に着脱する際に、容易に着脱することができる。
【００１０】
請求項２に記載の脳計測装置は、請求項１に記載の脳計測装置であって、前記第１保持部材及び前記第２保持部材は、前記被験者の頭部の表面に沿って長尺形状に形成され、前記第１保持部材は、長手方向に沿って所定間隔で形成されて前記第１センサ群に接続された複数の配線がそれぞれ引き込まれる複数の第１引込口と、前記第１引込口に引き込まれた複数の配線が集束されて引き出される第１引出口と、が形成され、前記第２保持部材は、長手方向に沿って所定間隔で形成されて前記第２センサ群に接続された複数の配線がそれぞれ引き込まれる複数の第２引込口と、前記第２引込口に引き込まれた複数の配線が集束されて引き出される第２引出口と、が形成されていることを特徴とする。
【００１１】
かかる構成によれば、第１センサ群及び第２センサ群に接続された複数の配線は、長手方向に沿って所定間隔で形成された第１引込口及び第２引込口から第１保持部材及び第２保持部材に引き込まれていることにより、配線を所定間隔に整列させた状態になる。さらに、第１引込口及び第２引込口に引き込まれた複数の配線は、第１引出口及び第２引出口から集められて引き出されるように第１保持部材及び第２保持部材に保持されていることにより、外部に露出している部分が少ないため、絡み難くなる。
【００１２】
請求項３に記載の脳計測装置は、請求項１または請求項２に記載の脳計測装置であって、前記第１保持部材と前記第２保持部材とは、連結部材を介在して着脱可能に連結されて前記保持部に保持されていることを特徴とする。
【００１３】
かかる構成によれば、第１保持部材と第２保持部材とは、連結部材によって着脱可能に連結されていることにより、必要に応じて第１保持部材及び第２保持部材を取り外すことができる。例えば、第１センサ群と第２センサ群との一方のみしか使用しないときには、その使用しない方の余分なセンサ群が取り付けてある保持部材を容易に取り外した状態で使用することもできる。
【００１４】
請求項４に記載の脳計測装置は、請求項１または請求項２に記載の脳計測装置であって、前記第１保持部材は、前記被験者の頭部に当接する第１当接部と、この第１当接部に設けられて弾性を有する第１弾性部材と、を有する第１頭部支持部材を備え、前記第２保持部材は、前記被験者の頭部に当接する第２当接部と、この第２当接部に設けられて弾性を有する第２弾性部材と、を有する第２頭部支持部材を備えていることを特徴とする。
【００１５】
かかる構成によれば、第１保持部材及び第２保持部材は、第１弾性部材及び第２弾性部材を有する第１頭部支持部材及び第２頭部支持部材を備えていることにより、第１当接部及び第２当接部が被験者の頭部に弾性的に当接される。このため、頭部の大きな被験者が使用する場合には、第１弾性部材及び第２弾性部材が弾性的に変形する。
【００１６】
請求項５に記載の脳計測装置は、請求項１ないし請求項４のいずれか１項に記載の脳計測装置であって、前記第１保持部材または前記第２保持部材には、前記被験者の頭部に接触させた前記第１センサ群及び前記第２センサ群を覆うように配置される頭部カバーが着脱可能に取り付けられる取付部が形成されていることを特徴とする。
【００１７】
かかる構成によれば、第１保持部材または第２保持部材には、被験者の頭部を覆うように配置される頭部カバーが着脱可能に取り付けられていることによって、第１センサ群及び第２センサを微調整する場合に、頭部カバーを外して調整作業が行える。また、頭部カバーを、第１保持部材または第２保持部材に取り付けることによって、センサを覆うことができる。
【００１８】
請求項６に記載の脳計測装置は、請求項１ないし請求項５のいずれか１項に記載の脳計測装置であって、前記保持部は、前記脳計測装置の計測部の支持部に支持される支持アームを備え、前記支持アームは、前記第１引出口及び前記第２引出口から引き出された配線が挿通されていることを特徴とする。
【００１９】
かかる構成によれば、保持部が、支持アームを介在して計測部に連結されていることによって、第１保持部材または第２保持部材を支持アームで支えて、被験者に第１保持部材または第２保持部材の荷重がかからないようにすることができる。また、第１保持部材及び第２保持部材内を挿通して第１引出口及び第２引出口から引き出された配線は、支持アーム内を挿通して配索されているので、外部に露出した部分が少ない。
【００２０】
請求項７に記載の脳計測装置は、請求項２ないし請求項６のいずれか１項に記載の脳計測装置であって、前記第１保持部材は、前記被験者の頭部の表面に沿って水平方向に円弧状に形成され、前記第２保持部材は、前記被験者の頭部の表面に沿って前記第１保持部材に直交する方向に円弧状に形成され、前記第２保持部材が前記第１保持部材の中央に配置されていることを特徴とする。
【００２１】
かかる構成によれば、第１保持部材及び第２保持部材の第１引込口及び第２引込口が長さ方向へ所定間隔で形成されていることにより、第１センサ群及び第２センサ群に接続された各配線が、所定間隔に整列した状態に配索される。さらに、第１保持部材と第２保持部材とは、前記被験者の頭部の表面に沿って水平方向と前後方向とに相違する方向に形成されているため、配線が多数あっても絡み難くなる。
【００２２】
請求項８に記載の脳計測装置は、請求項２ないし請求項７のいずれか１項に記載の脳計測装置であって、前記第１センサ群及び前記第２センサ群にそれぞれ接続された複数の配線は、前記第１保持部材及び前記第２保持部材の長手方向の所定間隔の位置から長手方向に直交する方向に一定間隔ごとに同じ長さになるように相違させて設定したことを特徴とする。
【００２３】
かかる構成によれば、第１センサ群及び第２センサ群に接続された各配線は、第１保持部材及び第２保持部材の長手方向の所定間隔の位置から長手方向に直交する方向に一定間隔ごとに同じ長さになるように相違させて設定されている。このため、配線は、第１保持部材及び第２保持部材から所定寸法だけ露出していることにより、必要以上に長く配索されて露出した状態になることがない。
【００２４】
請求項９に記載の脳計測装置は、第１センサ群が装着される第１プローブ取付穴と、第２センサ群が装着される第２プローブ取付穴とを有するプローブホルダを予め被験者の頭部に被らせて、前記第１プローブ取付穴と前記第２プローブ取付穴に前記第１センサ群と前記第２センサ群を接続して、前記被験者の頭部に前記第１センサ群と前記第２センサ群を接触させて生体情報を計測する脳計測装置において、前記被験者の一方のこめかみから他方のこめかみにわたって配置され、前記第１センサ群に接続された配線を保持する第１保持部材と、前記被験者の後頭部から額にわたって配置され、前記第２センサ群に接続された配線を保持する前記第２保持部材と、前記第２保持部材を覆うように前記第１保持部材に設けられる頭部カバーと、前記被験者の後頭部の後側で前記第１保持部材と前記第２部材とを連結して保持する保持部と、前記第１センサ群と前記第２センサ群からの信号により生体情報を計測する計測部を備え、前記保持部は、前記計測部との間に支持アームを有していることを特徴とする。
【００２５】
かかる構成によれば、被験者の頭部の生体情報を計測する第１センサ群及び第２センサ群にそれぞれ接続された各配線は、そのセンサの種類毎に分けて第１保持部材及び第２保持部材によって保持されているので、センサを被験者の頭部の所定位置に取り付け易い。
また、第１保持部材が被験者の一方のこめかみから他方のこめかみにわたって配置され、第２保持部材が被験者の後頭部から額にわたって配置されていることにより、第１保持部材に保持された配線と、第２保持部材に保持された配線とが真下方向に垂れ下がって互いに交差することがない。
また、第１保持部材と第２部材とを連結して保持する保持部が支持アームによって計測部に保持されていることにより、第１保持部材及び第２保持部材の荷重を保持部で受け持って支えることができる。
【発明の効果】
【００２６】
本発明の請求項１に係る脳計測装置によれば、被験者の頭部の生体情報を計測する第１センサ群及び第２センサ群にそれぞれ接続された配線は、そのセンサの種類毎に分けて第１保持部材及び第２保持部材によって保持させることができるので、センサを着脱する際に、配線が絡むことがなく、容易に着脱することができる。
また、第１センサ群及び第２センサ群の各配線を第１保持部材及び第２保持部材で保持して、各センサに接続した配線の自重によってセンサが引っ張られてセンシング位置がずれることを抑制できるので、そのずれによる各センサの計測精度の低下を防止して、安定した計測精度を得ることができる。
【００２７】
本発明の請求項２に係る脳計測装置によれば、第１センサ群及び第２センサ群に接続された配線は、長手方向に沿って所定間隔で形成された第１引込口及び第２引込口により、配線を所定間隔に整列させた状態に配索することができるため、絡み難い状態に所定の位置に配置することができる。
さらに、その配線は、第１引込口及び第２引込口から第１引出口及び第２引出口にわたって第１保持部材及び第２保持部材内に配索されて保持されていることにより、外部に露出している部分が少ないので、他の物と接触して絡むこともない。このため、第１センサ群及び第２センサ群を取り付ける際の接続が容易になる。
【００２８】
本発明の請求項３に係る脳計測装置によれば、必要に応じて第１保持部材及び第２保持部材を自由に着脱することができる。このため、第１保持部材と第２保持部材とは、第１センサ群と第２センサ群との一方のみしか使用しないときに、その使用しない方のセンサ群が取り付けられている保持部材を連結部材から容易に取り外して使用することもできる。また、両方のセンサ群を使用する場合には、両方のセンサ群がそれぞれ取り付けてある第１保持部材及び第２保持部材を連結部材に取り付けて使用することができ、便利である。
【００２９】
本発明の請求項４に係る脳計測装置によれば、第１保持部材及び第２保持部材は、第１頭部支持部材及び第２頭部支持部材により、第１当接部及び第２当接部が被験者の頭部に弾性的に当接して変形するので、頭部の大きさの相違する被験者であっても、安定した状態に支持させて利用することが可能である。
【００３０】
本発明の請求項５に係る脳計測装置によれば、被験者の頭部を覆うように配置される頭部カバーが着脱可能に取り付けられていることによって、第１センサ群及び第２センサを微調整する場合に、頭部カバーを外せば容易に調整作業を行うことができる。また、センサを第１保持部材または第２保持部材にセッティングした後に、センサを覆って外力が負荷されないようにできるので、センサの位置がずれることを防止することができる。
【００３１】
本発明の請求項６に係る脳計測装置によれば、保持部が、支持アームを介在して計測部に連結されていることによって、被験者に第１保持部材または第２保持部材の荷重がかからず、計測時の負担を軽減させることができる。また、配線は、第１保持部材、第２保持部材及び支持アーム内を挿通して配索されているので、外部に露出した部分が少ないため、他の物と接触して絡むことがなく、さらに、外観性も向上させることができる。
【００３２】
本発明の請求項７に係る脳計測装置によれば、第１保持部材及び第２保持部材の第１引込口及び第２引込口が長さ方向へ所定間隔で形成されていることにより、第１センサ群及び第２センサ群に接続された各配線を、所定間隔に整列した状態に配索することができる。さらに、第１保持部材と第２保持部材とは、前記被験者の頭部の表面に沿って水平方向と前後方向とに相違する方向に形成されているので、配線が多数あっても互いに交差しないように垂下するため、絡み難くすることができる。
【００３３】
本発明の請求項８に係る脳計測装置によれば、第１センサ群及び第２センサ群に接続された各配線は、第１保持部材及び第２保持部材の長手方向の所定間隔の位置から長手方向に直交する方向に一定間隔ごとに同じ長さになるように相違させて設定されていることにより、余長部分が少なく、必要以上に長く配索されて露出した状態になることがない。このため、各センサに接続された配線は、配線長さが他の物と絡み難い長さになっているので、他の物や配線同士が絡み合うのを低減させることができる。例えば、配線に光ファイバを使用した場合には、配線が互いに絡み合って折曲して破断するのを低減させることができる。
【００３４】
本発明の請求項９に係る脳計測装置によれば、各配線は、第１センサ群と第２センサ群とのセンサの種類毎に分けて第１保持部材及び第２保持部材によって保持されているので、センサを被験者の頭部に着脱する際に、容易に着脱することができる。
また、配線は、第１保持部材によって被験者の一方のこめかみから他方のこめかみにわたって適宜な間隔で配索させることができると共に、第２保持部材により被験者の後頭部から額にわたって適宜な間隔で配索することができる。このため、第１保持部材に保持された配線と、第２保持部材に保持された配線とが真下方向に垂れ下がって互いに交差することがないので、互いに絡み合うことが少なくなる。その結果、各センサを第１プローブ取付穴及ぶ第２プローブ取付穴に接続する作業が容易に行えると共に、配線が絡むことによるセンサの位置のずれ及びそれによるノイズの発生を防止して計測精度を向上させることができる。
また、第１保持部材と第２部材とを連結して保持する保持部が計測部に支持されていることにより、第１保持部材及び第２保持部材の荷重が被験者にかからないようにして、被験者の負担を軽減することができる。
【図面の簡単な説明】
【００３５】
【図１】本発明の実施形態に係る脳計測装置の斜視図である。
【図２】本発明の実施形態に係る脳計測装置の要部分解概略斜視図である。
【図３】本発明の実施形態に係る脳計測装置の第１保持部材及び第２保持部材を示す図であり、第１センサ群及び第２センサ群の一部を省略した状態の下方から見た斜視図である。
【図４】本発明の実施形態に係る脳計測装置の第１保持部材及び第２保持部材を示す図であり、第１センサ群及び第２センサ群の一部を省略した状態の上方から見た斜視図である。
【図５】本発明の実施形態に係る脳計測装置の頭部カバーを装着した第１保持部材及び第２保持部材を示す図であり、第１センサ群及び第２センサ群の一部を省略した状態の下方から見た斜視図である。
【図６】本発明の実施形態に係る脳計測装置の頭部カバー、第１保持部材及び第２保持部材を接続する連結部材示す要部分解斜視図である。
【図７】本発明の実施形態に係る脳計測装置を示す図であり、（ａ）は被験者の頭部にセンサを取り付けるときの状態を説明するための説明図であり、（ｂ）は使用状態を示す斜視図である。
【発明を実施するための形態】
【００３６】
≪脳計測装置の構成≫
以下、図面を参照して発明を実施するための形態を説明する。
図１及び図２に示すように、脳計測装置１は、第１センサ群２及び第２センサ群３を被験者Ｍの頭部Ｍａに接触させて生体情報を計測する脳計測装置１であり、それぞれ後記する第１センサ群２と、第２センサ群３と、第１配線４と、第２配線５と、第１保持部材６と、第２保持部材７と、頭部カバー８と、保持部Ａと、装置本体１０（計測部）と、連結部材１１と、支持アーム１２と、を備えている。また、脳計測装置１は、これらに加えて被験者Ｍが計測時に座る椅子Ｃ（図１参照）と、被験者Ｍが頭部Ｍａに装着するプローブホルダ９（図２参照）と、を備えてもよい。
【００３７】
≪第１センサ群の構成≫
図２に示すように、第１センサ群２は、被験者Ｍの頭部Ｍａに接触させて頭部Ｍａの生体情報を計測する多数の検出器である。第１センサ群２は、例えば、被験者Ｍの大脳皮質で反射した近赤外線を検出する近赤外光センサ等の光を利用した多数の同一構造の第１センサ２１からなる。第１センサ群２の各第１センサ２１は、被験者Ｍの頭部Ｍａに被せたプローブホルダ９の各第１プローブ取付穴９ａにそれぞれを装着することによって、被験者Ｍの頭部Ｍａの頭皮に接触した状態に取り付けられる。
【００３８】
＜第１センサの構成＞
各第１センサ２１は、後記する光ファイバからなる第１配線４の先端に固定されたセンサであり、近赤外線を照射・検出する光センサからなる。各第１センサ２１は、第１プローブ取付穴９ａに着脱自在なプラグ形状に形成されている。各第１センサ２１は、第１配線４によって第１保持部材６内を通して装置本体１０（図１参照）に設けた接続プラグ（図示省略）に接続されている。
【００３９】
≪第２センサ群の構成≫
図２に示すように、第２センサ群３は、被験者Ｍの頭部Ｍａに接触させて生体情報を計測する多数の検出器であり、例えば、脳波信号を検出する脳波検出用電極等の多数の同一構造の第２センサ３１からなる。第２センサ群３の各第２センサ３１は、被験者Ｍの頭部Ｍａに被せたプローブホルダ９の各第２プローブ取付穴９ｂにそれぞれを装着することによって、被験者Ｍの頭部Ｍａの頭皮に接触した状態に取り付けられる。
【００４０】
＜第２センサの構成＞
各第２センサ３１は、後記する第２配線５の先端に固定された電極形状のものからなり、プローブホルダ９の第２プローブ取付穴９ｂに着脱自在に形成されている。各第２センサ３１は、第２配線５によって第２保持部材７内を通して装置本体１０（図１参照）に設けたカプラ（図示省略）に接続されている。
【００４１】
＜第１配線の構成＞
図２に示すように、第１配線４は、例えば、一端側が第１センサ群２の各第１センサ２１に接続され、他端側が第１保持部材６及び支持アーム１２の内部を挿通して装置本体１０（図１参照）に接続された光ファイバからなる。第１配線４は、一端が各第１センサ２１に接続され、他端が第１保持部材６の第１引込口６ａ（図４参照）から引き出されて露出している部分である部材外配索部４１と、第１引込口６ａから第１保持部材６内を通って後側の第１引出口６ｂまで配索され、さらに、第１引出口６ｂから支持アーム１２内を挿通して装置本体１２に接続される部分である部材内配索部４２と、を備えて構成されている。
【００４２】
各部材外配索部４１は、水平に配置された略円弧状（略半円状）の第１保持部材６に、この第１保持部材６の長さ方向へ所定間隔を介して一列に列設された第１引込口６ａ（図４参照）から予め設定された所定寸法だけ引き出した状態で、それぞれの第１センサ２１に接続されている。
ここで、第１配線４の部材外配索部４１の「所定寸法」とは、任意の長さであり、例えば、被験者Ｍが被ったプローブホルダ９の第１プローブ取付穴９ａに第１センサ２１を着脱する際（図７（ａ）に示す状態）に必要な第１引込口６ａから第１プローブ取付穴９ａまでの長さに、さらに、ある程度の遊び分の長さを加算した長さである。
【００４３】
つまり、各部材外配索部４１は、被験者Ｍが被ったプローブホルダ９の第１プローブ取付穴９ａに第１センサ２１を着脱する際に、第１保持部材６から垂下した部材外配索部４１が絡んで折れ曲がって破断するのを防止するために、絡み難い長さになっている。このため、水平な略円弧状の第１保持部材６から近い位置の第１プローブ取付穴９ａに着脱される第１センサ２１に接続された部材外配索部４１の長さは短い。これに対して、第１保持部材６から遠い位置の第１プローブ取付穴９ａに着脱される第１センサ２１に接続された部材外配索部４１の長さは、接続する第１プローブ取付穴９ａから第１保持部材６までの距離に合わせて長くなっている。
【００４４】
図２に示すように、基端部が第１保持部材６に円弧状に１列に配置された第１配線４の各部材外配索部４１の長さは、第１保持部材６の長手方向の所定間隔の位置から長手方向に直交する方向に一定間隔ごとに同じ長さになるように相違させて設定されている。つまり、部材外配索部４１は、一例として、その長さが短い短線と、中間の中線と、長い長線との３種類の長さのものがあり、それを一定間隔ごとに短線、中線、長線の順に配置した３本１組のグループを第１保持部材６に順に配置している。このため、部材外配索部４１は、図７（ａ）に示すように、第１保持部材６を連結部材１１の各回動軸を中心として上方向に回動させた状態で、各第１センサ２１を第１プローブ取付穴９ａ（図２参照）に余裕を持って着脱できる必要最低限の長さに形成されて、余長が少なくなっている。
【００４５】
＜第２配線の構成＞
図２に示すように、第２配線５は、例えば、一端が第２センサ群３の各第２センサ３１に接続され、他端が第２保持部材７の内部を介して装置本体１０（図１参照）に接続された電線である。第２配線５は、一端側が第２引込口７ａ（図３参照）から引き出て各第２センサ３１に接続され、他端側が第２保持部材７の内部を通して第２引出口７ｂに接続され接続される多数のリード線５１と、一端側が第２引出口７ｂに接続され、他端側が支持アーム１２内を挿通して、装置本体１０のコネクタ（図示省略）に接続されたフラットケーブル５２と、を連結して構成されている。
【００４６】
各リード線５１は、前後方向に略円弧状（略半円状）に形成された第２保持部材７に、この第２保持部材７の長さ方向へ所定間隔を介して左右二列に列設された第２引込口７ａ（図３及び図４参照）から予め設定された所定寸法だけ引き出した状態の部材外配索部５１ａを有して、それぞれの第２センサ３１に接続されている。
ここで、第２配線５の部材外配索部５１ａの「所定寸法」とは、第１配線４の部材外配索部４１と同様に任意の長さであり、例えば、被験者Ｍが被ったプローブホルダ９の第２プローブ取付穴９ｂに第２センサ３１を着脱する際（図７（ａ）に示す状態）に必要な第２引込口７ａ（図３及び図４参照）から第２プローブ取付穴９ｂまでの長さに、さらに、ある程度の遊び分の長さを加算した長さである。
【００４７】
つまり、各リード線５１は、被験者Ｍが被ったプローブホルダ９の第２プローブ取付穴９ｂに第２センサ３１を着脱する際に、第２保持部材７の左右から引き出したように配索されたリード線５１を、第２プローブ取付穴９ｂに容易に着脱できるように、余長の少ない絡み難い長さに形成されている。このため、前後方向に略円弧状の第２保持部材７から近い位置の第２プローブ取付穴９ｂに着脱される第２センサ３１に接続されたリード線５１の長さは短い。これに対して、第２保持部材７から遠い位置の第２プローブ取付穴９ｂに着脱される第２センサ３１に接続されたリード線５１の長さは、接続する第２プローブ取付穴９ｂから第２保持部材７までの距離に合わせて長くなっている。
【００４８】
図２に示すように、基端部が第２保持部材７に円弧状に２列に配置された各リード線５１の長さは、第２保持部材７の長手方向の所定間隔の位置から長手方向に直交する方向に一定間隔ごとに同じ長さになるように相違させて設定されている。つまり、リード線５１は、一例として、その長さが短い短線と、中間の中線と、長い長線との３種類の長さのものがあり、それを一定間隔ごとに短線、中線、長線の順に配置した３本１組のグループを第２保持部材７の左右両側にそれぞれ順に配置している。このため、リード線５１は、図７（ａ）に示すように、第２保持部材７を連結部材１１の各回動軸を中心として上方向に回動させた状態で、各第２センサ３１を第２プローブ取付穴９ｂ（図２参照）に余裕を持って着脱できる必要最低限の長さに形成されて、余長が少なくなっている。
【００４９】
≪第１保持部材の構成≫
図２に示すように、第１保持部材６は、第１センサ群２に接続された第１配線４を保持する部材であり、被験者Ｍの頭部Ｍａの表面に沿って水平に略円弧状（長尺形状）に形成された整列接続盤の機能を備えている。
図４に示すように、第１保持部材６は、前記第１引込口６ａと、前記第１引出口６ｂと、前記第１配線４と、第１保持部材本体６ｃと、インナケース６ｄと、アウタケース６ｅと、取付部６ｆと、第１頭部支持部材６１，６１と、を備えて構成されている。
【００５０】
第１引込口６ａは、第１保持部材６の長手方向に沿って所定間隔で形成されて、第１センサ群２に接続された複数の第１配線４がそれぞれ引き込まれる複数の開口部であり、平面視して、第１保持部材本体６ｃの上面に、所定間隔でＣ字状に１列に多数並設されている。
第１引出口６ｂは、第１保持部材本体６ｃの第１引込口６ａに引き込まれた複数の第１配線４が集束されて引き出される開口部であり、第１保持部材６の背面側に配置されている。
【００５１】
図４に示すように、第１保持部材本体６ｃは、第１保持部材６の本体を形成する骨格部材であり、被験者Ｍ（図１参照）の頭部Ｍａの外周面に沿うように、平面視して略円弧状（略半円状）に形成されている。第１保持部材本体６ｃの中央部下面には、連結部材１１（図６参照）の連結アーム部１１ｃが着脱可能に締結されている。
【００５２】
インナケース６ｄは、第１保持部材本体６ｃの内側面を覆う保護カバーである。インナケース６ｄは、略円弧状の第１保持部材本体６ｃに沿って平面視して略円弧状に形成されると共に、縦断面視して略コ字状に形成されている。
アウタケース６ｅは、第１保持部材本体６ｃの外側面を覆う保護カバーである。アウタケース６ｅは、第１保持部材本体６ｃに沿って平面視して略円弧状に形成されると共に、縦断面視して略コ字状に形成されている。第１保持部材６は、このアウタケース６ｅとインナケース６ｄとで、前記第１保持部材本体６ｃを両側から覆っている。
取付部６ｆは、頭部カバー８（図２参照）の下側の縁に形成された係合部８ａが係合されて、頭部カバー８が第１保持部材６に着脱自在に取り付けられるようになっている。
【００５３】
＜第１頭部支持部材の構成＞
図４に示すように、第１頭部支持部材６１，６１は、被験者Ｍ（図２参照）の頭部Ｍａに弾性的に支持される部材であり、第１保持部材６に弾性的に取り付けられた左右一対の部材からなる。この第１頭部支持部材６１，６１は、平面視して略円弧状のインナケース６ｄの両端部の内外壁面から中心方向へ向けて突設された円筒コイルばね状の第１弾性部材６１ａと、第１弾性部材６１ａの先端部に固定された略お椀状の第１当接部６１ｂと、を備えて構成されている。
【００５４】
第１弾性部材６１ａは、第１当接部６１ｂに弾性を付与するための部材である。第１当接部６１ｂは、弾性的に頭部Ｍａを支持するものであればよく、形状等は特に限定されない。例えば、樹脂で形成された棒状のものでも構わない。また、伸縮するものであってもよい。
第１当接部６１ｂは、被験者Ｍの頭部Ｍａの左右外側に当接して支持される部位である。なお、この第１当接部６１ｂは、ヘッドホーンのホーン部のように形成したものであっても構わない。
【００５５】
≪第２保持部材の構成≫
図４に示すように、第２保持部材７は、第２センサ群３に接続された第２配線５を保持する部材であり、被験者Ｍ（図２参照）の頭部Ｍａの表面に沿って前後方向（第１保持部材６に直交する方向）に略円弧状（長尺形状）に形成された接続盤の機能を備えている。第２保持部材７の下端部は、第１保持部材６の中央に配置されている。第２保持部材７は、前記第２引込口７ａと、前記第２引出口７ｂ（図２及び図３参照）と、第２保持部材本体７ｃと、湾曲フレーム７ｄと、第２頭部支持部材７１，７２と、を備えて構成されている。
【００５６】
第２引込口７ａは、第２保持部材７の長手方向に沿って所定間隔で形成されて第２センサ群３に接続された複数の第２配線５がそれぞれ引き込まれる複数の引込口であり、側面視してＣ字状の湾曲フレーム７ｄの左右側壁に所定間隔で多数列設されている。
図２に示すように、第２引出口７ｂは、第２引込口７ａに引き込まれた複数の第２配線５が集束されて引き出される部位である。第２引出口７ｂは、第２保持部材本体７ｃの側面に形成され、フラットケーブル５２が接続されるカプラからなる。
【００５７】
図３に示すように、第２保持部材本体７ｃは、第２保持部材７の基端部を形成する部材であり、前記第２引出口７ｂが一体形成された極盤からなる。第２保持部材本体７ｃには、第２頭部支持部材７２と、連結部材１１の弾性連結アーム部１１ｄと、湾曲フレーム７ｄとが取り付けられている。
【００５８】
湾曲フレーム７ｄは、被験者Ｍ（図２参照）の頭部Ｍａの外周面に沿うように、側面視して円弧状（半円状）、平面視してＵ字状に形成された部材である。湾曲フレーム７ｄには、左右の側壁に開口した第２引込口７ａと、第２引出口７ｂを形成するカプラとが成形されている。
【００５９】
＜第２頭部支持部材の構成＞
図３に示すように、第２頭部支持部材７１，７２は、被験者Ｍ（図２参照）の頭部Ｍａに弾性的に支持される部材であり、第２当接部7１ｂ，７２ｂと、第２弾性部材７１ａ，７２ａとから構成されている。前側の第２頭部支持部材７１は、被験者Ｍ（図１参照）の頭部Ｍａの前頭部に当接するように、湾曲フレーム７ｄの前端部から左右横方向に向けて突出した状態に設けられている。後側の第２頭部支持部材７２は、被験者Ｍ（図１参照）の頭部Ｍａの後頭部に当接するように、湾曲フレーム７ｄの後端部から左右横方向に向けて突出した状態に設けられている。
第２当接部７１ｂ，７２ｂは、被験者Ｍの頭部Ｍａに当接する部位であり、円形に形成されている。第２弾性部材７１ａ，７２ａは、第２当接部７１ｂ，７２ｂに設けられて弾性を有する部材であり、平面視して略く字状に折曲されて、中央部が湾曲フレーム７ｄの前端部及び後端部に固定された板ばね部材からなる。
【００６０】
≪保持部の構成≫
図７（ａ）に示すように、保持部Ａは、第１保持部材６と第２保持部材７とを装置本体１０に支持させて保持する部材であり、連結部材１１と支持アーム１２とを備えて構成されている。保持部Ａは、一端が第１保持部材６と第２保持部材７に連結され、他端が装置本体１０の支持部１０ａに連結されている。
【００６１】
≪連結部材１１の構成≫
図６に示すように、連結部材１１は、第１保持部材６と第２保持部材７とを着脱可能、かつ、回動可能に連結すると共に、それらを支持アーム１２に着脱可能、かつ、回動可能に支持するための部材である。連結部材１１は、それぞれ後記する連結部材本体１１ａと、回動部１１ｂと、連結アーム部１１ｃと、弾性連結アーム部１１ｄと、可動着脱部１１ｅと、を備えて構成されている。連結部材１１は、第１保持部材６及び第２保持部材７を、被験者Ｍ（図２参照）の頭部Ｍａの周辺で交差させた状態に連結すると共に、第１保持部材６及び第２保持部材７を、被験者Ｍ（図２参照）の頭部Ｍａの表面に沿って交差する方向に延設されるように懸架されている。連結部材１１は、この連結部材１１にかかる荷重を支持する支持アーム１２を介在して装置本体１０（図１参照）に連結されている。
【００６２】
連結部材本体１１ａは、前後方向に向けて形成された略Ｌ字状に曲げて形成された断面円形の部材である。この連結部材本体１１ａには、前端部側に回動部１１ｂがばね部材（図示省略）を介在して弾性的に上下方向に回動可能に連結され、後端部側に支持アーム１２の第１部材１２Ａが水平方向に回動可能に連結されている。
【００６３】
図６に示すように、回動部１１ｂは、左右斜め上方向に向けて突設された一対の連結アーム部１１ｃと、前方向に突設された弾性連結アーム部１１ｄと、を有している。
連結アーム部１１ｃは、略円弧状の第１保持部材本体６ｃの中央部を下側から保持する部位である。連結アーム部１１ｃは、正面視して略Ｖ字状に形成され、その上端部にそれぞれ締結部材Ｂが着脱可能に取り付けされる貫通孔が形成されている。
【００６４】
弾性連結アーム部１１ｄは、連結部材１１の回動部１１ｂと、第２保持部材７の第２保持部材本体７ｃを弾性的に支持部材であり、例えば、円筒コイルばねからなる。
可動着脱部１１ｅは、支持アーム１２の第１部材１２Ａの回動孔１２Ａａに回動自在に軸入される軸支突起であり、円柱状に形成されている。
【００６５】
≪支持アームの構成≫
図７（ａ）に示すように、支持アーム１２は、各第１センサ２１及び各第２センサ３１を備えた第１保持部材６及び第２保持部材７を、連結部材１１を介在して装置本体１０に支持させるための部材である。この支持アーム１２内には、図２に示す第１引出口６ｂ及び第２引出口７ｂから引き出された第１配線４及び第２配線５が挿通されている。このため、支持アーム１２（図７（ａ）参照）には、第１保持部材６、第２保持部材７、第１センサ群２、第２センサ群３、第１配線４及び第２配線５の全荷重を保持するように、基端部が装置本体１０に取り付けられている。
【００６６】
図６に示すように、支持アーム１２は、第１部材１２Ａと、第２部材１２Ｂと、第３部材１２Ｃと、第４部材１２Ｄと、第５部材１２Ｅとを、それぞれ支持アーム１２に作用する荷重の方向とは逆方向に付勢するようにばね部材（図示省略）を設けて回動可能に連結して構成されている。
【００６７】
第１部材１２Ａは、連結部材１１の連結部材本体１１ａと第２部材１２Ｂとを水平方向及び上下方向に回動可能に連結する平面視して略Ｖ字形状の部材である。第１部材１２Ａは、先端部側に可動着脱部１１ｅが挿入される回動孔１２Ａａを有し、基端部側に第２部材１２Ｂの先端部側が上下方向に回動可能に連結されている。
【００６８】
第２部材１２Ｂは、左右一対の平板状のリンク部材であり、基端部側が第３部材１２Ｃの先端部の上下方向に回動可能に連結されている。
第３部材１２Ｃは、断面して角筒状のリンク部材であり、第１配線４及び第２配線５が別々に挿通される。第３部材１２Ｃの基端部側は、第４部材１２Ｄの先端部側に上下方向に回動可能に連結されている。
【００６９】
第４部材１２Ｄは、断面して角筒状のリンク部材であり、第１配線４及び第２配線５が別々に挿通される。第４部材１２Ｄの基端部側は、第５部材１２Ｅに上下方向に回動可能に連結されている。
第５部材１２Ｅは、装置本体１０（図７（ａ）、（ｂ）参照）の支持部１０ａに水平方向に回動可能に連結された軸支部材である。
【００７０】
≪装置本体（計測部）の構成≫
装置本体１０は、各第１センサ２１及び第２センサ３１で検出した検出信号から、被験者Ｍの生体情報を計測・分析する装置であり、パーソナルコンピュータ等の機能を備えている。装置本体１０は、被験者Ｍの計測結果を表示するモニタ等の表示部１０ｂと、支持アーム１２を取り付ける支持部１０ａと、第１配線４及び第２配線５が接続されるカプラ（図示省略）と、が設けられている。装置本体１０は、パーソナルコンピュータ等を収納していることにより、作動状況や異常情報等を知らせるための表示装置の機能を備えている。なお、装置本体１０には、装置本体１０を操作する操作者に音声で案内する音声合成装置の機能を持たせてもよい。
【００７１】
支持部１０ａには、支持アーム１２の基端部が連結されると共に、この支持アーム１２内を挿通させた第１配線４及び第２配線５が接続されるカプラ部（図示省略）が設置されている。
表示部１０ｂは、例えば、液晶表示装置やＬＥＤ表示装置等から構成されている。この表示部１０ｂには、計測開始、計測終了間際、計測終了、異常発生等の様々な作動状況を外部に表示することができる。
【００７２】
≪プローブホルダの構成≫
図２に示すように、プローブホルダ９は、被験者Ｍが頭部Ｍａに直接被る略頭巾状のものであり、例えば、黒色の合成樹脂等の非透光性の絶縁材によって形成されている。プローブホルダ９は、第１センサ２１が装着される第１プローブ取付穴９ａと、第２センサ３１が装着される第２プローブ取付穴９ｂとが所定間隔で交互の多数列に並べて穿設されている。プローブホルダ９には、被験者Ｍが被ったこのプローブホルダ９がずれないように、顎に締め付けるためのベルト部９ｃを有する。
【００７３】
第１プローブ取付穴９ａ及び第２プローブ取付穴９ｂは、プローブホルダ９を被験者Ｍに取り付けた状態のときに、装着した各第１センサ２１及び各第２センサ３１が頭部Ｍａの頭皮の所定位置に接触するように配置されている。
【００７４】
≪頭部カバーの構成≫
図７（ａ）、（ｂ）に示すように、頭部カバー８は、各第１センサ２１及び各第２センサ３１と第１保持部材６及び第２保持部材７を被験者Ｍの頭部Ｍａに取り付けた後に、それら部材の上部から覆うように取付部６ｆ（図４参照）に着脱可能に取り付けられるヘルメット状のカバーである。頭部カバー８は、各第１センサ２１及び各第２センサ３１の位置ずれ防止、各第１センサ２１及び各第２センサ３１の保護、及び、外観の保持を目的として使用するものである。なお、頭部カバー８を装着しなくても脳機能等の計測は可能である。
【００７５】
≪椅子の構成≫
椅子Ｃは、被験者Ｍを座らせるためのものであり、座らせることで安定した計測を行なうことができる。この椅子Ｃは、必要に応じて用いるものである。
【００７６】
［脳計測装置の作用］
次に、本発明の実施形態に係る脳計測装置１の作用を使用手順に沿って説明する。
図７（ａ）に示すように、まず、被験者Ｍを椅子Ｃに座らせて、被験者Ｍの頭部Ｍａにプローブホルダ９を被らせる。次に、第１保持部材６及び第２保持部材７を頭部Ｍａに接近させて、各第１センサ２１を所定位置の第１プローブ取付穴９ａに装着させ、各第２センサ３１を所定位置の第２プローブ取付穴９ｂに装着させる。すると、各第１センサ２１及び各第２センサ３１の先端が頭部Ｍａの頭皮に接触した状態になる。
【００７７】
図２に示すように、このとき、各第１センサ２１及び各第２センサ３１の接続された第１配線４及び第２配線５は、第１保持部材６及び第２保持部材７に適宜な間隔で並べて配置されると共に、絡み難い適宜な長さになっているので、第１プローブ取付穴９ａ及び第２プローブ取付穴９ｂに容易に接続することができる。
また、第１配線４及び第２配線５は、種類ごとに２つに分けて、第１保持部材６及び第２保持部材７から適宜な間隔で垂下されて配置されていると共に、各第１センサ２１及び各第２センサ３１を接続する所定の第１プローブ取付穴９ａ及び第２プローブ取付穴９ｂに接続するのに必要な長さになっているので、絡まって破損することがない。そして、第１配線４及び第２配線５は、一例として部材外配索部４１及びリード線５１が、一定間隔ごとに長さの相違する短線、中線、長線の順に配置した３本１組のグループを順に配置しているので、第１センサ２１及び各第２センサ３１をどの第１プローブ取付穴９ａ及び第２プローブ取付穴９ｂに接続すればよいのが容易に判断できる。このため、各第１センサ２１及び各第２センサ３１は、接続作業が容易で、第１配線４及び第２配線５の絡みによってノイズが生じることもない。
【００７８】
第１センサ２１及び各第２センサ３１を第１プローブ取付穴９ａ及び第２プローブ取付穴９ｂに装着すると、第１配線４が装置本体１０に接続され、第２配線５が、リード線５１及びフラットケーブル５２を介して装置本体１０に接続される。
そして、頭部カバー８の係合部８ａを第１保持部材６の取付部６ｆに係合させることによって、頭部カバー８で第１保持部材６及び第２保持部材７を覆う。
【００７９】
このとき、第１保持部材６及び第２保持部材７は、連結部材１１及び支持アーム１２を介在して装置本体１０に支持されている。このため、図５に示す第１配線４、第２配線５、第１保持部材６、第２保持部材７、頭部カバー８及び連結部材１１の荷重は、支持アーム１２によって保持されているので、被験者Ｍには作用しない。これにより、被験者Ｍは、第１保持部材６、第２保持部材７等を頭部Ｍａ上に取り付けても、ほとんどその重量を感じない。
【００８０】
さらに、計測中、被験者Ｍの頭部Ｍａは、第１頭部支持部材６１，６１と、第２頭部支持部材７１，７２とが当接した状態になっていて、ある程度自由に動くことが可能であると共に、特別な押圧力がかからないので、圧迫感を受けることはない。
このため、被験者Ｍは、計測中の負担が軽減されて、長時間にわたって計測することも苦痛にならなくなる。したがって、脳計測装置１は、被験者Ｍの疲労を原因とするセンサ位置のずれを防止して計測精度を向上させることができる。
【００８１】
また、被験者Ｍの頭部Ｍａに当接している第１頭部支持部材６１，１６及び第２頭部支持部材７１，７２は、弾性を有して変形するので、頭部Ｍａの大きさの相違する大人や子供であっても、使用可能である。
【００８２】
計測を開始すると、被験者Ｍの脳から発せられた生体情報信号は、第１センサ２１及び各第２センサ３１から第１配線４及び第２配線５を介して装置本体１０に送られて、コンピュータ処理されて、表示部１０ｂに表示される。
装置本体１０では、その生体情報信号から被験者Ｍの種々の生体情報を得ることができ、色々な方面で使用することが可能である。例えば、その生体情報を脳機能として利用する場合には、被験者Ｍが現在何を頭に思い描いているのかを推測することも可能である。
また、種類の相違する第１センサ２１及び各第２センサ３１を有することにより、被験者Ｍの生体情報を多角的に計測・分析して、脳内の指示で機械を直接操作することや、身体機能の治療、回復、補綴、補完等が可能となる。
【００８３】
脳計測装置１による計測が終了したら、図７（ｂ）の状態の第１保持部材６及び第２保持部材７を上側に引き上げれば、第１保持部材６及び第２保持部材７は、連結部材１１及び支持アーム１２の各軸部を支点として回動して図７（ａ）に示す状態に容易にすることができる。また、第１保持部材６及び第２保持部材７は、連結部材１１及び支持アーム１２は自在継手の働きをするので、自由に上下前後左右の方向に自由に移動させることもできるため、被験者Ｍへ容易に着脱できる。
【００８４】
［変形例］
なお、本発明は、前記実施形態に限定されるものではなく、その技術的思想の範囲内で種々の改造及び変更が可能であり、本発明はこれら改造及び変更された発明にも及ぶことは勿論である。
【００８５】
前記実施形態では、２種類のセンサ群を設け場合を説明したが、必要に応じて第１センサ群２及び第２センサ群３を同じ種類のセンサとしても構わない。
【符号の説明】
【００８６】
１      脳計測装置
２      第１センサ群
３      第２センサ群
４      第１配線（配線）
５      第２配線（配線）
６      第１保持部材
６ａ    第１引込口
６ｂ    第１引出口
６ｆ    取付部
７      第２保持部材
７ａ    第２引込口
８      頭部カバー
９      プローブホルダ
９ａ    第１プローブ取付穴
９ｂ    第２プローブ取付穴
１０    装置本体（計測部）
１１    連結部材
１１ａ  回動軸
１２    支持アーム
２１    第１センサ
３１    第２センサ
６１    第１頭部支持部材
６１ａ  第１弾性部材
６１ｂ  第１当接部
７１，７２  第２頭部支持部材
７１ａ，７２ａ  第２弾性部材
７１ｂ，７２ｂ  第２当接部
Ａ      保持部
Ｍ      被験者
Ｍａ    頭部
【図１】
2010233746.tif 000003
【図２】
2010233746.tif 000004
【図３】
2010233746.tif 000005
【図４】
2010233746.tif 000006
【図５】
2010233746.tif 000007
【図６】
2010233746.tif 000008
【図７】
2010233746.tif 000009